(57)【特許請求の範囲】
【請求項１】
文字情報を所定の文字コードに基づいて複数のビットからなるビット列に変換するビット列変換手段と、
このビット列変換手段が生成したビット列を所定の情報コードの配列規則に基づいて配列して配列パターンデータを生成する配列パターンデータ生成手段と、
この配列パターンデータ生成手段が生成した配列パターンデータを携帯電話機に送信する配列パターンデータ送信手段とを備えた通信システム内の携帯電話機であって、
前記配列パターンデータ送信手段が送信した配列パターンデータを受信する配列パターンデータ受信手段と、
この配列パターンデータ受信手段が受信した配列パターンデータの二値化信号を明セル或いは暗セルに変換することによって、当該配列パターンデータを複数のセルからなる情報コード画像として情報コード画像表示手段に表示する制御手段とを備え、
前記配列パターンデータ生成手段は、複数の二値化信号からなる二値化信号列の改行を示す改行記号を含めて配列パターンデータを生成することを特徴とする携帯電話機。
【請求項２】
前記制御手段は、前記改行記号の数および前記改行記号間の二値化信号の数のうちの少なくともいずれかの数と、前記情報コード画像表示手段の画素数とに基づいて前記セルのサイズを自動的に決定することを特徴とする請求項１記載の携帯電話機。
【請求項３】
文字情報を所定の文字コードに基づいて複数のビットからなるビット列に変換するビット列変換手段と、
このビット列変換手段が生成したビット列を所定の情報コードの配列規則に基づいて配列して配列パターンデータを生成する配列パターンデータ生成手段と、
この配列パターンデータ生成手段が生成した配列パターンデータを携帯電話機に送信する配列パターンデータ送信手段とを備えた通信システム内の携帯電話機であって、
前記配列パターンデータ送信手段が送信した配列パターンデータを受信する配列パターンデータ受信手段と、
この配列パターンデータ受信手段が受信した配列パターンデータの二値化信号を明セル或いは暗セルに変換することによって、当該配列パターンデータを複数のセルからなる情報コード画像として情報コード画像表示手段に表示する制御手段と、
所定の操作を行うための操作手段とを備え、
前記制御手段は、前記操作手段における所定の操作に基づいて前記セルのサイズを決定することを特徴とする携帯電話機。
【請求項４】
前記配列パターンデータ生成手段は、前記ビット列変換手段が生成したビット列をマトリックス型の２次元コードの配列規則に基づいて配列することを特徴とする請求項１ないし３のいずれかに記載の携帯電話機。
【請求項５】
前記配列パターンデータ生成手段は、前記ビット列変換手段が生成したビット列をバーコード或いはスタック型の２次元コードの配列規則に基づいて配列することを特徴とする請求項１ないし３のいずれかに記載の携帯電話機。
【請求項６】
請求項１ないし５のいずれかに記載の携帯電話機と、
文字情報を所定の文字コードに基づいて複数のビットからなるビット列に変換するビット列変換手段と、
このビット列変換手段が生成したビット列を所定の情報コードの配列規則に基づいて配列して配列パターンデータを生成する配列パターンデータ生成手段と、
この配列パターンデータ生成手段が生成した配列パターンデータを前記携帯電話機に送信する配列パターンデータ送信手段とを備えたことを特徴とする通信システム。
【発明の詳細な説明】
【０００１】
【発明の属する技術分野】
本発明は、情報コード画像を表示する携帯電話機および前記携帯電話機を備えた通信システムに関する。
【０００２】
【発明が解決しようとする課題】
近年、携帯電話機の普及に伴って、携帯電話機を利用した各種のサービスが考えられており、その一つとして、携帯電話機のＬＣＤ（Liquid Crystal Display）に、流通、販売・オーダー処理或いはＯＡ（Office Automation ）などの分野で広く利用されているバーコードや２次元コードなどの情報コードを示す情報コード画像を表示し、各種のサービスを行うことが考えられている。
【０００３】
ここで、携帯電話機のＬＣＤに情報コード画像を表示する処理を考えてみると、この場合、携帯電話機に搭載されているＣＰＵ（Central Processing Unit ）は、次に示すような処理を行うことになる。すなわち、ＣＰＵは、文字情報を例えばシフトＪＩＳなどの文字コードに基づいてビット「０」およびビット「１」からなるビット列に変換し、ビット列を例えばＱＲ（Quick Response）コードなどの情報コードの配列規則に基づいて配列し、配列パターンデータを生成する。そして、ＣＰＵは、生成した配列パターンデータの例えばデータ「０」を暗セルに変換し、データ「１」を明セルに変換することによって、当該配列パターンデータを複数のセルからなる情報コード画像としてＬＣＤに表示する。このようにして、携帯電話機において、ＱＲコードをＬＣＤに表示することが可能となり、これ以降、表示されたＱＲコードを処理することによって、各種のサービスを行うこと可能となる。
【０００４】
ところで、携帯電話機は、一般的には、小形化、軽量化および低価格化などが要求されているという事情から、例えば音声通話機能、電子メール通信機能、メモリダイヤルなどの情報を管理する情報管理機能などの基本的な機能を実現できる程度の構成であれば良く、このような事情から、携帯電話機に搭載されているＣＰＵは、処理能力が比較的小さく、また、携帯電話機に搭載されているメモリは、記憶容量が比較的小さいという事情がある。そのため、上記したような携帯電話機のＬＣＤに例えばＱＲコードなどの情報コードを示す情報コード画像を表示するという処理は、ＣＰＵにとっては多大な負荷がかかるものである。
【０００５】
本発明は、上記した事情に鑑みてなされたものであり、その目的は、携帯電話機に例えばＱＲコードなどの情報コードを示す情報コード画像を表示するに際して、制御手段に多大な負荷がかかることを未然に回避することができる携帯電話機および通信システムを提供することにある。
【０００６】
【課題を解決するための手段】
請求項１記載の携帯電話機によれば、ビット列変換手段は、文字情報を所定の文字コードに基づいて複数のビットからなるビット列に変換し、配列パターンデータ生成手段は、ビット列変換手段が生成したビット列を所定の情報コードの配列規則に基づいて配列して配列パターンデータを生成し、配列パターンデータ送信手段は、配列パターンデータ生成手段が生成した配列パターンデータを携帯電話機に送信する。そして、携帯電話機において、配列パターンデータ送信手段が送信した配列パターンデータを配列パターンデータ受信手段が受信すると、制御手段は、配列パターンデータ受信手段が受信した配列パターンデータの二値化信号を明セル或いは暗セルに変換することによって、当該配列パターンデータを複数のセルからなる情報コード画像として情報コード画像表示手段に表示する。
【０００７】
すなわち、このものによれば、携帯電話機の外部において、文字情報を所定の文字コードに基づいて複数のビットからなるビット列に変換し、ビット列を所定の情報コードの配列規則に基づいて配列して配列パターンデータを生成し、配列パターンデータを携帯電話機に送信するように構成し、そして、携帯電話機において、携帯電話機の外部から受信した配列パターンデータの二値化信号を明セル或いは暗セルに変換することによって、当該配列パターンデータを複数のセルからなる情報コード画像として表示するように構成した。
【０００８】
このように、携帯電話機においては、文字情報をビット列に変換する処理や、ビット列を所定の情報コードの配列規則に基づいて配列して配列パターンデータを生成する処理を不要としたので、情報コード画像を表示するに際して、制御手段に多大な負荷がかかることを未然に回避することができる。また、配列パターンデータ生成手段は、複数の二値化信号からなる二値化信号列の改行を示す改行記号を含めて配列パターンデータを生成するように構成したので、携帯電話機においては、改行記号を認識することによって、二値化信号列の改行箇所を簡単に認識することができ、その分、処理の簡素化を図ることができる。
【００１０】
請求項２記載の携帯電話機によれば、携帯電話機において、制御手段は、改行記号の数および改行記号間の二値化信号の数のうちの少なくともいずれかの数と、情報コード画像表示手段の画素数とに基づいてセルのサイズを自動的に決定するように構成したので、携帯電話機を使用するユーザは、セルのサイズを決める操作を不要として、文字情報の情報量や情報コード画像表示手段の画素数に応じた最適なサイズによってセルを見ることができる。
【００１１】
請求項３記載の携帯電話機によれば、ビット列変換手段は、文字情報を所定の文字コードに基づいて複数のビットからなるビット列に変換し、配列パターンデータ生成手段は、ビット列変換手段が生成したビット列を所定の情報コードの配列規則に基づいて配列して配列パターンデータを生成し、配列パターンデータ送信手段は、配列パターンデータ生成手段が生成した配列パターンデータを携帯電話機に送信する。そして、携帯電話機において、配列パターンデータ送信手段が送信した配列パターンデータを配列パターンデータ受信手段が受信すると、制御手段は、配列パターンデータ受信手段が受信した配列パターンデータの二値化信号を明セル或いは暗セルに変換することによって、当該配列パターンデータを複数のセルからなる情報コード画像として情報コード画像表示手段に表示する。
すなわち、このものによれば、携帯電話機の外部において、文字情報を所定の文字コードに基づいて複数のビットからなるビット列に変換し、ビット列を所定の情報コードの配列規則に基づいて配列して配列パターンデータを生成し、配列パターンデータを携帯電話機に送信するように構成し、そして、携帯電話機において、携帯電話機の外部から受信した配列パターンデータの二値化信号を明セル或いは暗セルに変換することによって、当該配列パターンデータを複数のセルからなる情報コード画像として表示するように構成した。
このように、携帯電話機においては、文字情報をビット列に変換する処理や、ビット列を所定の情報コードの配列規則に基づいて配列して配列パターンデータを生成する処理を不要としたので、情報コード画像を表示するに際して、制御手段に多大な負荷がかかることを未然に回避することができる。また、制御手段は、操作手段における所定の操作に基づいてセルのサイズを決定するように構成したので、携帯電話機を使用するユーザは、自分の好みに応じてセルのサイズを決めることができ、例えば文字情報の情報量が比較的少ないような場合であれば、セルのサイズを比較的大きく決定する操作を行うことによって、セルの単位を見易くすることができ、一方、文字情報の情報量が比較的多いような場合であれば、セルのサイズを比較的小さく決定する操作を行うことによって、一度に多くのセルを見ることができる。
【００１２】
請求項４記載の携帯電話機によれば、配列パターンデータ生成手段は、ビット列変換手段が生成したビット列をマトリックス型の２次元コードの配列規則に基づいて配列するように構成したので、情報コードがマトリックス型の２次元コード（例えばＱＲコードなど）であるような場合であって、つまり、１つの単位データが１つの二値化信号によって表記されるような場合に、マトリックス型の２次元コードを表示するに際して、制御手段に多大な負荷がかかることを未然に回避することができる。
【００１３】
請求項５記載の携帯電話機によれば、配列パターンデータ生成手段は、ビット列変換手段が生成したビット列をバーコード或いはスタック型の２次元コードの配列規則に基づいて配列するように構成したので、情報コードがバーコード（例えばコード３９など）或いはスタック型の２次元コード（例えばＰＤＦ４１７など）であるような場合であって、つまり、１つの単位データが複数の二値化信号によって表記されるような場合に、バーコード或いはスタック型の２次元コードを表示するに際して、制御手段に多大な負荷がかかることを未然に回避することができる。
【００１４】
請求項６記載の通信システムによれば、上記した請求項１ないし５のいずれかに記載の携帯電話機と、文字情報を所定の文字コードに基づいて複数のビットからなるビット列に変換するビット列変換手段と、ビット列変換手段が生成したビット列を所定の情報コードの配列規則に基づいて配列して配列パターンデータを生成する配列パターンデータ生成手段と、配列パターンデータ生成手段が生成した配列パターンデータを携帯電話機に送信する配列パターンデータ送信手段とを備えてシステムを構築するように構成したので、上記した請求項１に記載したように、携帯電話機において、情報コード画像を表示するに際して、制御手段に多大な負荷がかかることを未然に回避することができる。
【００１５】
【発明の実施の形態】
以下、本発明を銀行に設置されている自動振込端末と携帯電話機との間で通信を行う通信システムに適用した一実施例について、図面を参照して説明する。尚、ここでは、情報コードがＱＲコードであって、携帯電話機から自動振込端末に預金残高を問合わせ、自動振込端末から携帯電話機に口座番号および預金残高を通知し、携帯電話機が自動振込端末から通知された口座番号および預金残高を示すＱＲコードをＬＣＤに表示する場合を説明する。
【００１６】
まず、図２は、自動振込端末および携帯電話機の電気的な構成を機能ブロックとして示している。自動振込端末１において、ＣＰＵ２（本発明でいうビット列変換手段、配列パターンデータ生成手段）は、マイクロコンピュータを主体として構成されており、電話網３との間で電話通信に係る処理を行うモデム４（本発明でいう配列パターンデータ送信手段）、カードを挿入するためのカード挿入部５、預金通帳を挿入するための通帳挿入部６、ＬＣＤ７、預金残高照会や預金引出などの各種の手続きを行うユーザの操作を促す音声ガイダンスを出力する音声ガイダンス出力部８およびＮＣＵ（Network Contorol Unit ）９を接続している。また、サーバ１０は、例えば口座番号データベース１１、暗証番号データベース１２、預金残高データベース１３および取引履歴データベース１４などの各種のデータベースを接続している。
【００１７】
この場合、ＣＰＵ２は、例えば人感センサ（図示せず）によって人が近付いたことを検出すると、口座番号や暗証番号の入力を行うための数字「０」〜「９」の「数字」ボタン、預金残高照会を行うための「預金残高照会」ボタン、預金の引出しを行うための「預金引出」ボタン、振込を行うための「振込」ボタンなどの各種のボタンをタッチパネル形式によってＬＣＤ７に表示し、例えばカードがカード挿入部５に挿入され、いずれかのボタンが操作されると、当該ボタンの操作に応じた処理を行う。
【００１８】
すなわち、ユーザが例えば４桁の暗証番号を入力した場合を例にして説明すると、ＣＰＵ２は、暗証番号の入力を検出すると、入力した暗証番号をＮＣＵ９からサーバ１０に送信する。サーバ１０は、ＮＣＵ９から暗証番号を受信したことを検出すると、暗証番号データベース１２を検索することによって、ＮＣＵ９から受信した暗証番号の正誤を判定し、判定結果をＮＣＵ９に送信する。そして、ＣＰＵ２は、サーバ１０から判定結果をＮＣＵ９が受信したことを検出すると、サーバ１０から受信した判定結果が「正」であれば、例えば預金の引出を促す表示画面をＬＣＤ７に表示し、一方、サーバ１０から受信した判定結果が「誤」であれば、暗証番号が誤っていることを示す表示画面をＬＣＤ７に表示するなど、サーバ１０から受信した判定結果に応じた処理を行う。
【００１９】
一方、携帯電話機１５において、ＣＰＵ１６（本発明でいう制御手段）は、マイクロコンピュータを主体として構成されており、電話網３との間で電話通信に係る処理を行う電話通信部１７（本発明でいう配列パターンデータ受信手段）、マイクロホン１８が入力した送話音声およびレシーバ１９が出力する受話音声を音声処理する音声処理部２０、通話を開始するための「通話開始」キー、通話を終了するための「通話終了」キー、電話番号を入力するための数字「０」〜「９」の「数字」キーなどの多数のキーを配設してなるキー操作部２１（本発明でいう操作手段）、ＬＣＤ２２（本発明でいう情報コード画像表示手段）、メモリダイヤル情報などの各種の情報を記憶するメモリ２３を接続している。
【００２０】
次に、上記した構成の作用について、図１、図３ないし図１１を参照して説明する。
携帯電話機１５を使用するユーザが所定のキーの操作を行い、「支払いモード」を設定すると、携帯電話機１５において、ＣＰＵ１６は、ステップＳ１において「ＹＥＳ」と判定し、電話通信部１７から自動振込端末１に自動発信する（ステップＳ２）。
【００２１】
自動振込端末１において、ＣＰＵ２は、携帯電話機１５から着信したことを検出すると、ステップＴ１において「ＹＥＳ」と判定し、ＩＤ番号の入力を促すＩＤ番号要求コマンドをモデム４から携帯電話機１５に送信する（ステップＴ２）。
【００２２】
携帯電話機１５において、ＣＰＵ１６は、自動振込端末１からＩＤ番号要求コマンドを電話通信部１７が受信したことを検出すると、ステップＳ３において  「ＹＥＳ」と判定し、例えば「ＩＤ番号を入力して下さい」というメッセージをＬＣＤ２２に表示する。これによって、携帯電話機１５を使用するユーザは、ＩＤ番号を入力することが可能となる。そして、ＣＰＵ１６は、ＩＤ番号を入力するキーの操作が行われたことを検出すると、ステップＳ４において「ＹＥＳ」と判定し、入力したＩＤ番号を電話通信部１７から自動振込端末１に送信する（ステップＳ５）。
【００２３】
自動振込端末１において、ＣＰＵ２は、携帯電話機１５からＩＤ番号をモデム４が受信したことを検出すると、ステップＴ３において「ＹＥＳ」と判定し、携帯電話機１５から受信したＩＤ番号の正誤を判定する（ステップＴ４）。そして、ＣＰＵ２は、携帯電話機１５から受信したＩＤ番号が正であれば、ステップＴ４において「ＹＥＳ」と判定し、読出コマンドをＮＣＵ９からサーバ１０に送信し、該当する口座番号を口座番号データベース１１から読出すと共に、該当する預金残高を預金残高データベース１３から読出す（ステップＴ５）。
【００２４】
そして、ＣＰＵ２は、それら読出した口座番号および預金残高に対して「ＱＲコード送信前処理」を行う（ステップＴ６）。以下、「ＱＲコード送信前処理」について、図４に示すフローチャートを参照して説明する。尚、ここで、図５および図６は、具体的な一例として、口座番号が例えば「００１２−３４５−６−１２３４５６７」であり、また、預金残高が例えば「￥５００００」である場合を示している。
【００２５】
ＣＰＵ２は、口座番号データベース１１から読出した口座番号および預金残高データベース１３から読出した預金残高をシフトＪＩＳの文字コードに基づいてビット「０」およびビット「１」からなるビット列に変換する（ステップＵ１、図５中（ａ）〜（ｃ）参照）。そして、ＣＰＵ２は、誤り訂正符号を計算し（ステップＵ２）、計算した誤り訂正符号を先に生成したビット列に付加する（ステップＵ３、図５中（ｄ）参照）。
【００２６】
次いで、ＣＰＵ２は、誤り訂正符号を付加したビット列の全体のビット数（データ量）を算出し（ステップＵ４）、算出したビット数に基づいてＱＲコードのサイズを決定する（ステップＵ５、図５中（ｅ）参照）。そして、ＣＰＵ２は、先に誤り訂正符号を付加したビット列をＱＲコードの配列規則にしたがって先に決定したサイズによって配列し、配列パターンデータを生成する（ステップＵ６、図５中（ｆ）参照）。
【００２７】
次いで、ＣＰＵ２は、先に生成した配列パターンデータをマスク処理し（ステップＵ７、図５中（ｇ）参照）、ＱＲコードの位置を検出するための位置検出用のパターンデータ（切り出しシンボル）を付加し（ステップＵ８、図５中（ｈ）参照）、位置検出用のパターンデータを付加した配列パターンデータに改行を示す「改行記号」を付加する（ステップＵ９、図５中（ｉ）参照）。そして、ＣＰＵ２は、配列パターンデータのデータ「０」を符号「Ａ」として表記し、データ「１」を符号「Ｂ」として表記し、「改行記号」を符号「Ｃ」として表記することによって、配列パターンデータを送信形式に準じた送信データフォーマットにしたがって表記する（ステップＵ１０、図６中（ｊ）参照）。尚、ここで、符号「Ａ」および符号「Ｂ」は、本発明でいう二値化信号に相当する。
【００２８】
そして、ＣＰＵ２は、以上に説明した処理を行って生成した配列パターンデータをモデム４から携帯電話機１５に送信する（ステップＴ７）。この場合、ＣＰＵ２は、配列パターンデータとしては、上記したように、データ「０」を示す符号「Ａ」、データ「１」を示す符号「Ｂ」および「改行記号」を示す符号「Ｃ」の３種類の符号を表記できれば良いことから、図７に示すように、符号「Ａ」をビット「０」およびビット「０」が連続する２ビットで表記し、符号「Ｂ」をビット「０」およびビット「１」が連続する２ビットで表記し、符号「Ｃ」をビット「１」およびビット「０」が連続する２ビットで表記することによって、配列パターンデータをモデム４から携帯電話機１５に送信する。
【００２９】
携帯電話機１５おいて、ＣＰＵ１６は、自動振込端末１から配列パターンデータを電話通信部１７が受信したことを検出すると、ステップＳ６において「ＹＥＳ」と判定し、自動振込端末１から受信した配列パターンデータに含まれる符号「Ｃ」を算出することによって「改行記号」の数を算出し（ステップ７）、算出した「改行記号」の数と、ＬＣＤ２２の画素数とに基づいて１セルあたりのサイズ、つまり、１セルあたりの画素数を決定する（ステップＳ８）。
【００３０】
そして、ＣＰＵ１６は、配列パターンデータを走査することによって、図１に示すように、先に決定した１セルあたりの画素数にしたがって、符号「Ａ」を暗セルで表示し、符号「Ｂ」を明セルで表示することによって、配列パターンデータを情報コード画像としてＬＣＤ２２に表示する（ステップＳ９）。尚、図８は、破線にて囲まれている１ブロックを１画素に対応して示しており、一例として、図８中（ａ）は、１セルあたりの画素数を「４（＝２×２）」に決定した場合を示しており、また、図８中（ｂ）は、１セルあたりの画素数を「１６（＝４×４）」に決定した場合を示している。
【００３１】
以上に説明した制御を行うことによって、携帯電話機１５は、自動振込端末１から数字情報である口座番号および預金残高を示すＱＲコードの配列規則にしたがった配列パターンデータを受信し、自動振込端末１から受信した配列パターンデータを情報コード画像としてＬＣＤ２２に表示することが可能となり、ＱＲコードをＬＣＤ２２に表示することが可能となる。
【００３２】
ところで、以上は、情報コードがマトリックス型の２次元コードである場合を説明したものであるが、次に、情報コードがバーコードである場合について、図９および図１０を参照して説明する。
【００３３】
情報コードが例えばコード３９のバーコードである場合には、自動振込端末１において、ＣＰＵ２は、細いバーを示す符号「Ａ」、細いスペースを示す符号  「Ｂ」、太いバーを示す符号「Ｃ」および太いスペースを示す符号「Ｄ」の４種類の符号を表記できれば良いことから、符号「Ａ」をビット「０」およびビット「０」が連続する２ビットで表記し、符号「Ｂ」をビット「０」およびビット  「１」が連続する２ビットで表記し、符号「Ｃ」をビット「１」およびビット  「０」が連続する２ビットで表記し、符号「Ｄ」をビット「１」およびビット  「１」が連続する２ビットで表記することによって、配列パターンデータをモデム４から携帯電話機１５に送信する。
【００３４】
そして、携帯電話機１５において、ＣＰＵ１６は、自動振込端末１から配列パターンデータを電話通信部１７が受信したことを検出すると、自動振込端末１から受信した配列パターンデータを走査することによって、符号「Ａ」を細いバーで表示し、符号「Ｂ」を細いスペースで表示し、符号「Ｃ」を太いバーで表示し、符号「Ｄ」を太いスペースで表示することによって、配列パターンデータを情報コード画像としてＬＣＤ２２に表示する。
【００３５】
ところで、この場合、自動振込端末１から携帯電話機１５に送信されるコード３９に関係するビット数は、
ビット数  ＝  符号（エレメント）数  ×  ２ビット
によって算出することができるので、上記した図９に示した例では、符号数が  「２９」であるので、ビット数は、「５８ビット」と算出される。
【００３６】
ここで、図１０に示すように、符号「Ｃ」を２つの符号「Ａ」に対応させ、また、符号「Ｄ」を２つの符号「Ｂ」に対応させれば、２種類の符号を表記できれば良いことから、この場合は、自動振込端末１から携帯電話機１５に送信されるコード３９に関係するビット数は、
ビット数  ＝  符号（エレメント）数  ×  １ビット
によって算出することができ、上記した図１０に示した例では、符号数が「３８」であるので、ビット数は、「３８ビット」と算出される。このようにすれば、自動振込端末１から携帯電話機１５に送信されるビット数を減少することが可能となり、その分、通信時間を短縮することが可能となる利点がある。
【００３７】
また、このように複数の種類の情報コードが存在することから、マトリックス型の２次元コードであるＱＲコード、バーコードであるコード３９および他の情報コードを選択することが可能となるように、携帯電話機１５のＬＣＤ２２に、例えば図１１に示すような情報コードを選択する表示画面を表示し、それらのうちからいずれかの情報コードを選択可能に構成することも可能である。
【００３８】
また、「改行記号」の数と、ＬＣＤ２２の画素数とに基づいて１セルあたりのサイズを決定する構成に限らず、「改行記号」間の符号の数と、ＬＣＤ２２の画素数とに基づいて１セルあたりのサイズを決定するように構成することも可能であり、また、携帯電話機１５を使用するユーザが所定のキーの操作を行うことによって、１セルあたりのサイズを任意に決定するように構成することも可能である。
【００３９】
以上に説明したように本実施例によれば、自動振込端末１において、口座番号および預金残高の数字情報をビット列に変換し、ビット列をＱＲコードの配列規則に基づいて配列して配列パターンデータを生成し、配列パターンデータを携帯電話機１５に送信するように構成し、そして、携帯電話機１５において、自動振込端末１から受信した配列パターンデータの符号「Ａ」を暗セルで表示し、符号「Ｂ」を明セルで表示することによって、配列パターンデータを情報コード画像としてＬＣＤ２２に表示するように構成した。このように、携帯電話機１５においては、数字情報などの文字情報をビット列に変換する処理や、ビット列をＱＲコードの配列規則に基づいて配列して配列パターンデータを生成する処理を不要としたので、ＱＲコードを表示するに際して、ＣＰＵ１６に多大な負荷がかかることを未然に回避することができる。
【００４０】
また、自動振込端末１において、符号「Ａ」および符号「Ｂ」からなる符号列の改行を示す「改行記号」を含めて配列パターンデータを生成するように構成したので、携帯電話機１５においては、「改行記号」を認識することによって、符号列の改行箇所を簡単に認識することができ、その分、処理の簡素化を図ることができる。
【００４１】
また、携帯電話機１５において、「改行記号」の数と、ＬＣＤ２２の画素数とに基づいて１セルあたりのサイズを自動的に決定するように構成したので、携帯電話機１５を使用するユーザは、セルのサイズを決める操作を不要として、口座番号や預金残高の情報量やＬＣＤ２２の画素数に応じた最適なサイズによってセルを見ることができる。一方、携帯電話機１５において、ユーザが所定の操作を行うことによってセルのサイズを決定するように構成すれば、携帯電話機１５を使用するユーザは、自分の好みに応じてセルのサイズを決めることができ、例えば情報量が比較的少ないような場合であれば、セルのサイズを比較的大きく決定する操作を行うことによって、セルの単位を見易くすることができ、一方、情報量が比較的多いような場合であれば、セルのサイズを比較的小さく決定する操作を行うことによって、一度に多くのセルを見ることができる。
【００４２】
本発明は、上記した実施例にのみ限定されるものでなく、次のように変形または拡張することができる。
文字情報は、口座番号や預金残高などを示す数字情報に限らず、漢字などの他の文字情報であっても良い。
【００４３】
携帯電話機が自動発信する構成に限らず、手動発信する構成であっても良い。
情報コードは、ＱＲコード、コード３９に限らず、他のものであっても良い。
情報コード画像における縦方向および横方向のセルの配列が認識されているような場合には、配列パターンデータに「改行記号」を付加することを省略し、配列パターンデータのデータ量に基づいて縦方向のセル数および横方向のセル数を算出して情報コード画像を表示する構成であっても良く、このような構成によれば、「改行記号」を省略することができる分、配列パターンデータのデータ量を小さくすることが可能となる。
【図面の簡単な説明】
【図１】本発明の一実施例を概略的に示す図
【図２】通信システムの全体の構成を概略的に示す図
【図３】フローチャート
【図４】図３相当図
【図５】文字情報から配列パターンデータを生成する過程を示す図
【図６】図５相当図
【図７】符号を示す図
【図８】ＬＣＤの表示の一例を示す図
【図９】配列パターンデータおよび情報コード画像を示す図
【図１０】図９相当図
【図１１】図５相当図
【符号の説明】
図面中、２はＣＰＵ（ビット列変換手段、配列パターンデータ生成手段）、４はモデム（配列パターンデータ送信手段）、１５は携帯電話機、１６はＣＰＵ  （制御手段）、１７は電話通信部（配列パターンデータ受信手段）、２１はキー操作部（操作手段）、２２はＬＣＤ（情報コード画像表示手段）である。
【図１】
0004110728.tif 000002
【図２】
0004110728.tif 000003
【図３】
0004110728.tif 000004
【図４】
0004110728.tif 000005
【図５】
0004110728.tif 000006
【図６】
0004110728.tif 000007
【図７】
0004110728.tif 000008
【図８】
0004110728.tif 000009
【図９】
0004110728.tif 000010
【図１０】
0004110728.tif 000011
【図１１】
0004110728.tif 000012